【手続補正書】
【提出日】平成17年6月28日(2005.6.28)
【手続補正１】
【補正対象書類名】明細書
【補正対象項目名】発明の名称
【補正方法】変更
【補正の内容】
【発明の名称】印刷システム、印刷システムで実行される印刷処理方法及び情報処理装置
【手続補正２】
【補正対象書類名】明細書
【補正対象項目名】特許請求の範囲
【補正方法】変更
【補正の内容】
【特許請求の範囲】
【請求項１】
複数の印刷装置と情報処理装置とが接続されている印刷システムで実行される印刷処理方法であって、
印刷データの印刷環境を設定する環境設定ステップと、
前記環境設定ステップは前記複数の印刷装置の中から少なくとも２つ以上の印刷装置を選択する選択ステップを含み、
前記複数の各々の印刷装置の機能の能力の上限値が記述されているプリンタ能力記述情報と、前記環境設定ステップによって設定された印刷環境に基づいて、前記環境設定ステップによって選択された印刷装置の機能の能力の上限値を加算し、更新上限値とし、前記更新上限値が記述されている複合プリンタ能力記述情報を生成する生成ステップを含むことを特徴とする印刷処理方法。
【請求項２】
前記印刷データの印刷属性を設定する属性設定ステップをさらに含み、
前記属性設定ステップによる印刷属性の設定は、前記生成ステップによって生成された複合プリンタ能力記述情報に基づいて作成された画面において、前記更新上限値に基づいて行うことが可能であることを特徴とする請求項１記載の印刷処理方法。
【請求項３】
前記印刷データの印刷指示をする指示ステップをさらに含み、
前記指示ステップによって印刷指示された印刷データは、前記環境設定ステップによって選択された印刷装置に分散印刷されることを特徴とする請求項２記載の印刷処理方法。
【請求項４】
前記印刷データがどのように分散印刷されたかの情報の通知を受信する受信ステップを含むことを特徴とする請求項３記載の印刷処理方法。
【請求項５】
前記印刷データの印刷環境は印刷装置のタイプと台数を含み、
前記環境設定ステップは印刷装置のタイプと台数を選択するステップを含むことを特徴とする請求項１乃至４いずれか１項に記載の印刷処理方法。
【請求項６】
前記複数の各々の印刷装置のプリンタ能力記述情報の内容を更新するための入力操作が可能な入力操作ステップを含むことを特徴とする請求項１乃至５いずれか１項に記載の印刷処理方法。
【請求項７】
前記複数の各々の印刷装置の機能の能力の上限値は、前記複数の各々の印刷装置の出力最大部数であり、前記更新上限値は前記複数の各々の最大出力部数の加算部数であることを特徴とする請求項１乃至６いずれか１項に記載の印刷処理方法。
【請求項８】
前記複数の各々の印刷装置の機能の能力の上限値は、前記複数の各々の印刷装置の出力可能ビン数であり、前記更新上限値は前記複数の各々の出力可能ビン数の加算ビン数であることを特徴とする請求項１乃至７いずれか１項に記載の印刷処理方法。
【請求項９】
複数の印刷装置と情報処理装置とが接続されている印刷システムで実行される印刷処理方法であって、
印刷データの印刷環境を設定する環境設定ステップと、
前記環境設定ステップは前記複数の印刷装置の中から少なくとも２つ以上の印刷装置を選択する選択ステップを含み、
前記印刷データの印刷属性を設定する属性設定ステップと、
前記印刷データの印刷指示をする指示ステップと、
前記複数の各々の印刷装置の機能の能力が記述されているプリンタ能力記述情報と、前記環境設定ステップによって設定された印刷環境に基づいて、前記環境設定ステップによって選択された印刷装置の機能の能力を組み合せて更新能力とし、前記更新能力が記述されている複合プリンタ能力記述情報を生成する生成ステップを含み、
前記属性設定ステップによる印刷属性の設定は、前記取得ステップによって取得された複合プリンタ能力記述情報に基づいて作成された画面において、前記更新能力に基づいて行うことが可能であり、前記指示ステップによって印刷指示された印刷データは、前記環境設定ステップによって選択された印刷装置に分散印刷されることを特徴とする印刷処理方法。
【請求項１０】
前記印刷データがどのように分散印刷されたかの情報の通知を受信する受信ステップを含むことを特徴とする請求項９記載の印刷処理方法。
【請求項１１】
前記印刷データの印刷環境は印刷装置のタイプと台数を含み、
前記環境設定ステップは印刷装置のタイプと台数を選択するステップを含むことを特徴とする請求項９又は１０記載の印刷処理方法。
【請求項１２】
前記複数の各々の印刷装置のプリンタ能力記述情報の内容を更新するための入力操作が可能な入力操作ステップを含むことを特徴とする請求項９乃至１１いずれか１項に記載の印刷処理方法。
【請求項１３】
前記複数の各々の印刷装置の機能の能力は、前記複数の各々の印刷装置が処理可能な用紙の種類を含み、前記更新能力は前記用紙の種類の組合せを含むことを特徴とする請求項９乃至１２いずれか１項に記載の印刷処理方法。
【請求項１４】
前記複数の印刷装置のうち少なくとも１台が両面印刷機能を有している場合、前記更新能力は両面印刷機能を有しているとすることを特徴とする請求項９乃至１３いずれか１項に記載の印刷処理方法。
【請求項１５】
前記複数の印刷装置のうち少なくとも１台がシート処理機能を有している場合、前記更新能力はシート処理機能を有しているとすることを特徴とする請求項９乃至１４いずれか１項に記載の印刷処理方法。
【請求項１６】
複数の印刷装置と接続されている情報処理装置であって、
印刷データの印刷環境を設定する環境設定手段と、
前記環境設定手段は前記複数の印刷装置の中から少なくとも２つ以上の印刷装置を選択する選択手段を含み、
前記複数の各々の印刷装置の機能の能力の上限値が記述されているプリンタ能力記述情報と、前記環境設定手段によって設定された印刷環境に基づいて、前記環境設定手段によって選択された印刷装置の機能の能力の上限値を加算し更新上限値とし、前記更新上限値が記述されている複合プリンタ能力記述情報を取得する取得手段を有することを特徴とする情報処理装置。
【請求項１７】
前記印刷データの印刷属性を設定する属性設定手段をさらに有し、
前記属性設定手段による印刷属性の設定は、前記取得手段によって取得された複合プリンタ能力記述情報に基づいて作成された画面において、前記更新上限値に基づいて行うことが可能であることを特徴とする請求項１６記載の情報処理装置。
【請求項１８】
前記印刷データの印刷指示をする指示手段をさらに有し、
前記指示手段によって印刷指示された印刷データは、前記環境設定手段によって選択された印刷装置に分散印刷されることを特徴とする請求項１７記載の情報処理装置。
【請求項１９】
前記印刷データがどのように分散印刷されたかの情報の通知を受信する受信手段を有することを特徴とする請求項１８記載の情報処理装置。
【請求項２０】
前記印刷データの印刷環境は印刷装置のタイプと台数を含み、
前記環境設定手段は印刷装置のタイプと台数を選択する手段を含むことを特徴とする請求項１６乃至１９のいずれか１項に記載の情報処理装置。
【請求項２１】
前記複数の各々の印刷装置のプリンタ能力記述情報の内容を更新するための入力操作が可能な入力操作手段を有することを特徴とする請求項１６乃至２０のいずれか１項に記載の情報処理装置。
【請求項２２】
前記複数の各々の印刷装置の機能の能力の上限値は、前記複数の各々の印刷装置の出力最大部数であり、前記更新上限値は前記複数の各々の最大出力部数の加算部数であることを特徴とする請求項１６乃至２１のいずれか１項に記載の情報処理装置。
【請求項２３】
前記複数の各々の印刷装置の機能の能力の上限値は、前記複数の各々の印刷装置の出力可能ビン数であり、前記更新上限値は前記複数の各々の出力可能ビン数の加算ビン数であることを特徴とする請求項１６乃至２２のいずれか１項に記載の情報処理装置。
【請求項２４】
複数の印刷装置と接続されている情報処理装置であって、
印刷データの印刷環境を設定する環境設定手段と、
前記環境設定手段は前記複数の印刷装置の中から少なくとも２つ以上の印刷装置を選択する選択手段を含み、
前記印刷データの印刷属性を設定する属性設定手段と、
前記印刷データの印刷指示をする指示手段と、
前記複数の各々の印刷装置の機能の能力が記述されているプリンタ能力記述情報と、前記環境設定手段によって設定された印刷環境に基づいて、前記環境設定手段によって選択された印刷装置の機能の能力を組み合せて更新能力とし、前記更新能力が記述されている複合プリンタ能力記述情報を取得する取得手段とを有し、
前記属性設定手段による印刷属性の設定は、前記取得手段によって取得された複合プリンタ能力記述情報に基づいて作成された画面において、前記更新能力に基づいて行うことが可能であり、前記指示手段によって印刷指示された印刷データは、前記環境設定手段によって選択された印刷装置に分散印刷されることを特徴とする情報処理装置。
【請求項２５】
前記印刷データがどのように分散印刷されたかの情報の通知を受信する受信手段を有することを特徴とする請求項２４記載の情報処理装置。
【請求項２６】
前記印刷データの印刷環境は印刷装置のタイプと台数を含み、
前記環境設定手段は印刷装置のタイプと台数を選択する手段を含むことを特徴とする請求項２４又は２５に記載の情報処理装置。
【請求項２７】
前記複数の各々の印刷装置のプリンタ能力記述情報の内容を更新するための入力操作が可能な入力操作手段を有することを特徴とする請求項２４至２６のいずれか１項に記載の情報処理装置。
【請求項２８】
前記複数の各々の印刷装置の機能の能力は、前記複数の各々の印刷装置が処理可能な用紙の種類を含み、前記更新能力は前記用紙の種類の組合せを含むことを特徴とする請求項２４至２７のいずれか１項に記載の情報処理装置。
【請求項２９】
前記複数の印刷装置のうち少なくとも１台が両面印刷機能を有している場合、前記更新能力は両面印刷機能を有しているとすることを特徴とする請求項２４至２８のいずれか１項に記載の情報処理装置。
【請求項３０】
前記複数の印刷装置のうち少なくとも１台がシート処理機能を有している場合、前記更新能力はシート処理機能を有しているとすることを特徴とする請求項２４至２９のいずれか１項に記載の情報処理装置。
【請求項３１】
複数の印刷装置と、前記複数の印刷装置と接続される情報処理装置とで構成される印刷システムであって、
印刷データの印刷環境を設定する環境設定手段と、
前記環境設定手段は前記複数の印刷装置の中から少なくとも２つ以上の印刷装置を選択する選択手段を含み、
前記複数の各々の印刷装置の機能の能力の上限値が記述されているプリンタ能力記述情報と、前記環境設定手段によって設定された印刷環境に基づいて、前記環境設定手段によって選択された印刷装置の機能の能力の上限値を加算し更新上限値とし、前記更新上限値が記述されている複合プリンタ能力記述情報を生成する生成手段を有することを特徴とする印刷システム。
【請求項３２】
複数の印刷装置と、前記複数の印刷装置と接続される情報処理装置とで構成される印刷システムであって、
印刷データの印刷環境を設定する環境設定手段と、
前記環境設定手段は前記複数の印刷装置の中から少なくとも２つ以上の印刷装置を選択する選択手段を含み、
前記印刷データの印刷属性を設定する属性設定手段と、
前記印刷データの印刷指示をする指示手段と、
前記複数の各々の印刷装置の機能の能力が記述されているプリンタ能力記述情報と、前記環境設定手段によって設定された印刷環境に基づいて、前記環境設定手段によって選択された印刷装置の機能の能力を組み合せて更新能力とし、前記更新能力が記述されている複合プリンタ能力記述情報を生成する生成手段と、
前記属性設定手段による印刷属性の設定は、前記取得手段によって取得された複合プリンタ能力記述情報に基づいて作成された画面において、前記更新能力に基づいて行うことが可能であり、前記指示手段によって印刷指示された印刷データは、前記環境設定手段によって選択された印刷装置に分散印刷されることを特徴とする印刷システム。
【請求項３３】
複数の印刷装置と情報処理装置とが接続されている印刷システムを制御するためのコンピュータ読み取り可能なプログラムであって、
印刷データの印刷環境を設定する環境設定ステップと、
前記環境設定ステップは前記複数の印刷装置の中から少なくとも２つ以上の印刷装置を選択する選択ステップを含み、
前記複数の各々の印刷装置の機能の能力の上限値が記述されているプリンタ能力記述情報と、前記環境設定ステップによって設定された印刷環境に基づいて、前記環境設定ステップによって選択された印刷装置の機能の能力の上限値を加算し更新上限値とし、前記更新上限値が記述されている複合プリンタ能力記述情報を生成する生成ステップをコンピュータに実行させるためのプログラムコードからなることを特徴とするプログラム。
【請求項３４】
複数の印刷装置と情報処理装置とが接続されている印刷システムを制御するためのコンピュータ読み取り可能なプログラムであって、
印刷データの印刷環境を設定する環境設定ステップと、
前記環境設定ステップは前記複数の印刷装置の中から少なくとも２つ以上の印刷装置を選択する選択ステップを含み、
前記印刷データの印刷属性を設定する属性設定ステップと、
前記印刷データの印刷指示をする指示ステップと、
前記複数の各々の印刷装置の機能の能力が記述されているプリンタ能力記述情報と、前記環境設定ステップによって設定された印刷環境に基づいて、前記環境設定ステップによって選択された印刷装置の機能の能力を組み合せて更新能力とし、前記更新能力が記述されている複合プリンタ能力記述情報を生成する生成ステップを含み、
前記属性設定ステップによる印刷属性の設定は、前記取得ステップによって取得された複合プリンタ能力記述情報に基づいて作成された画面において、前記更新能力に基づいて行うことが可能であり、前記指示ステップによって印刷指示された印刷データは、前記環境設定ステップによって選択された印刷装置に分散印刷されることをコンピュータに実行させるためのプログラムコードからなることを特徴とするプログラム。
【手続補正３】
【補正対象書類名】明細書
【補正対象項目名】０００７
【補正方法】変更
【補正の内容】
【０００７】
【課題を解決するための手段】
上記課題を解決するために、請求項１に係る発明の印刷処理方法は、複数の印刷装置と情報処理装置とが接続されている印刷システムで実行される印刷処理方法であって、印刷データの印刷環境を設定する環境設定ステップと、前記環境設定ステップは前記複数の印刷装置の中から少なくとも２つ以上の印刷装置を選択する選択ステップを含み、前記複数の各々の印刷装置の機能の能力の上限値が記述されているプリンタ能力記述情報と、前記環境設定ステップによって設定された印刷環境に基づいて、前記環境設定ステップによって選択された印刷装置の機能の能力の上限値を加算し、更新上限値とし、前記更新上限値が記述されている複合プリンタ能力記述情報を生成する生成ステップを含むことを特徴とする。
【手続補正４】
【補正対象書類名】明細書
【補正対象項目名】０００８
【補正方法】変更
【補正の内容】
【０００８】
上記課題を解決するために、請求項９に係る発明の印刷処理方法は、複数の印刷装置と情報処理装置とが接続されている印刷システムで実行される印刷処理方法であって、印刷データの印刷環境を設定する環境設定ステップと、前記環境設定ステップは前記複数の印刷装置の中から少なくとも２つ以上の印刷装置を選択する選択ステップを含み、前記印刷データの印刷属性を設定する属性設定ステップと、前記印刷データの印刷指示をする指示ステップと、前記複数の各々の印刷装置の機能の能力が記述されているプリンタ能力記述情報と、前記環境設定ステップによって設定された印刷環境に基づいて、前記環境設定ステップによって選択された印刷装置の機能の能力を組み合せて更新能力とし、前記更新能力が記述されている複合プリンタ能力記述情報を生成する生成ステップを含み、前記属性設定ステップによる印刷属性の設定は、前記取得ステップによって取得された複合プリンタ能力記述情報に基づいて作成された画面において、前記更新能力に基づいて行うことが可能であり、前記指示ステップによって印刷指示された印刷データは、前記環境設定ステップによって選択された印刷装置に分散印刷されることを特徴とする。
【手続補正５】
【補正対象書類名】明細書
【補正対象項目名】０００９
【補正方法】変更
【補正の内容】
【０００９】
上記課題を解決するために、請求項１６に係る発明の情報処理装置は、複数の印刷装置と接続されている情報処理装置であって、印刷データの印刷環境を設定する環境設定手段と、前記環境設定手段は前記複数の印刷装置の中から少なくとも２つ以上の印刷装置を選択する選択手段を含み、前記複数の各々の印刷装置の機能の能力の上限値が記述されているプリンタ能力記述情報と、前記環境設定手段によって設定された印刷環境に基づいて、前記環境設定手段によって選択された印刷装置の機能の能力の上限値を加算し更新上限値とし、前記更新上限値が記述されている複合プリンタ能力記述情報を取得する取得手段を有することを特徴とする。
【手続補正６】
【補正対象書類名】明細書
【補正対象項目名】００１０
【補正方法】変更
【補正の内容】
【００１０】
上記課題を解決するために、請求項２４に係る発明の情報処理装置は、複数の印刷装置と接続されている情報処理装置であって、印刷データの印刷環境を設定する環境設定手段と、前記環境設定手段は前記複数の印刷装置の中から少なくとも２つ以上の印刷装置を選択する選択手段を含み、前記印刷データの印刷属性を設定する属性設定手段と、前記印刷データの印刷指示をする指示手段と、前記複数の各々の印刷装置の機能の能力が記述されているプリンタ能力記述情報と、前記環境設定手段によって設定された印刷環境に基づいて、前記環境設定手段によって選択された印刷装置の機能の能力を組み合せて更新能力とし、前記更新能力が記述されている複合プリンタ能力記述情報を取得する取得手段とを有し、前記属性設定手段による印刷属性の設定は、前記取得手段によって取得された複合プリンタ能力記述情報に基づいて作成された画面において、前記更新能力に基づいて行うことが可能であり、前記指示手段によって印刷指示された印刷データは、前記環境設定手段によって選択された印刷装置に分散印刷されることを特徴とする。
【手続補正７】
【補正対象書類名】明細書
【補正対象項目名】００１１
【補正方法】変更
【補正の内容】
【００１１】
上記課題を解決するために、請求項３１に係る発明の印刷システムは、複数の印刷装置と、前記複数の印刷装置と接続される情報処理装置とで構成される印刷システムであって、印刷データの印刷環境を設定する環境設定手段と、前記環境設定手段は前記複数の印刷装置の中から少なくとも２つ以上の印刷装置を選択する選択手段を含み、前記複数の各々の印刷装置の機能の能力の上限値が記述されているプリンタ能力記述情報と、前記環境設定手段によって設定された印刷環境に基づいて、前記環境設定手段によって選択された印刷装置の機能の能力の上限値を加算し更新上限値とし、前記更新上限値が記述されている複合プリンタ能力記述情報を生成する生成手段を有することを特徴とする。
【手続補正８】
【補正対象書類名】明細書
【補正対象項目名】００１２
【補正方法】変更
【補正の内容】
【００１２】
上記課題を解決するために、請求項３２に係る発明の印刷システムは、複数の印刷装置と、前記複数の印刷装置と接続される情報処理装置とで構成される印刷システムであって、印刷データの印刷環境を設定する環境設定手段と、前記環境設定手段は前記複数の印刷装置の中から少なくとも２つ以上の印刷装置を選択する選択手段を含み、前記印刷データの印刷属性を設定する属性設定手段と、前記印刷データの印刷指示をする指示手段と、前記複数の各々の印刷装置の機能の能力が記述されているプリンタ能力記述情報と、前記環境設定手段によって設定された印刷環境に基づいて、前記環境設定手段によって選択された印刷装置の機能の能力を組み合せて更新能力とし、前記更新能力が記述されている複合プリンタ能力記述情報を生成する生成手段と、前記属性設定手段による印刷属性の設定は、前記取得手段によって取得された複合プリンタ能力記述情報に基づいて作成された画面において、前記更新能力に基づいて行うことが可能であり、前記指示手段によって印刷指示された印刷データは、前記環境設定手段によって選択された印刷装置に分散印刷されることを特徴とする。
【手続補正９】
【補正対象書類名】明細書
【補正対象項目名】００１３
【補正方法】変更
【補正の内容】
【００１３】
上記課題を解決するために、請求項３３に係る発明のプログラムは、複数の印刷装置と情報処理装置とが接続されている印刷システムを制御するためのコンピュータ読み取り可能なプログラムであって、印刷データの印刷環境を設定する環境設定ステップと、前記環境設定ステップは前記複数の印刷装置の中から少なくとも２つ以上の印刷装置を選択する選択ステップを含み、前記複数の各々の印刷装置の機能の能力の上限値が記述されているプリンタ能力記述情報と、前記環境設定ステップによって設定された印刷環境に基づいて、前記環境設定ステップによって選択された印刷装置の機能の能力の上限値を加算し更新上限値とし、前記更新上限値が記述されている複合プリンタ能力記述情報を生成する生成ステップをコンピュータに実行させるためのプログラムコードからなることを特徴とする。
【手続補正１０】
【補正対象書類名】明細書
【補正対象項目名】００１４
【補正方法】変更
【補正の内容】
【００１４】
上記課題を解決するために、請求項３４に係る発明のプログラムは、複数の印刷装置と情報処理装置とが接続されている印刷システムを制御するためのコンピュータ読み取り可能なプログラムであって、印刷データの印刷環境を設定する環境設定ステップと、前記環境設定ステップは前記複数の印刷装置の中から少なくとも２つ以上の印刷装置を選択する選択ステップを含み、前記印刷データの印刷属性を設定する属性設定ステップと、前記印刷データの印刷指示をする指示ステップと、前記複数の各々の印刷装置の機能の能力が記述されているプリンタ能力記述情報と、前記環境設定ステップによって設定された印刷環境に基づいて、前記環境設定ステップによって選択された印刷装置の機能の能力を組み合せて更新能力とし、前記更新能力が記述されている複合プリンタ能力記述情報を生成する生成ステップを含み、前記属性設定ステップによる印刷属性の設定は、前記取得ステップによって取得された複合プリンタ能力記述情報に基づいて作成された画面において、前記更新能力に基づいて行うことが可能であり、前記指示ステップによって印刷指示された印刷データは、前記環境設定ステップによって選択された印刷装置に分散印刷されることをコンピュータに実行させるためのプログラムコードからなることを特徴とする。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００７２
【補正方法】変更
【補正の内容】
【００７２】
印刷環境の設定は、印刷制御プログラム（プリンタドライバ）に従い行なわれる。この印刷環境を設定する際には、図８に示すプリンタ設定ダイアログ６０１が表示される。このプリンタ設定ダイアログ６０１は、使用するプリンタのタイプとその台数を設定するためのダイアログである。このダイアログには、使用するプリンタを選択するリスト６０２、入力の設定の指示をするためのＯＫボタン６０５、設定を取り消すためのキャンセルボタン６０６が表示される。
【手続補正１６】
【補正対象書類名】図面
【補正対象項目名】図９
【補正方法】変更
【補正の内容】
【図９】
2002082791.tif 000001
【手続補正１７】
【補正対象書類名】図面
【補正対象項目名】図１０
【補正方法】変更
【補正の内容】
【図１０】
2002082791.tif 000002
【手続補正１８】
【補正対象書類名】図面
【補正対象項目名】図１１
【補正方法】変更
【補正の内容】
【図１１】
2002082791.tif 000003